(57)【要約】【課題】出力光の波長安定性及び強度安定性を保ちつつ、低コスト化、小型化を実現できる光送信モジュールを提供する。【解決手段】第１光フィルタ１８ａ−１は、波長の変化に対して透過率が周期的に変化する。初期波長範囲では、第２光フィルタ１８ａ−２の透過率の、第１光フィルタ１８ａ−１の透過率に対する比率に応じて波長が一意に定まる。動作波長範囲では波長に応じた第２光フィルタ１８ａ−２の透過率が既知である。制御部２０は、光フィルタ１８ａを透過する光強度の比に基づいて波長可変光源１２に初期波長の光を出射させ、その光の波長を変化させつつ、第１光フィルタ１８ａ−１を透過する光の強度の周期の数を計数し、第１光フィルタ１８ａ−１を透過する光の強度に基づいて波長可変光源１２に動作波長の光を出射させる。制御部２０は波長可変光源１２が出射する光の強度を調整制御する。【選択図】図１
2010062226.tif 000002
【特許請求の範囲】
【請求項１】
波長可変光源と、
前記波長可変光源により出射される光の波長の範囲では少なくとも、波長の変化に対して透過率が周期的に変化する透過特性を有する、前記波長可変光源から出射される光が入射される第１の光フィルタと、
前記波長可変光源から出射される光が入射される光フィルタであって、所定の初期波長範囲では、当該光フィルタの透過率の前記第１の光フィルタの透過率に対する比率に応じて波長が一意に定まり、所定の動作波長範囲では、波長に応じた当該光フィルタの透過率が既知である透過特性を有する第２の光フィルタと、
前記第１の光フィルタを透過する光の強度と、前記第２の光フィルタを透過する光の強度と、の比に基づいて、出射する光の波長が前記初期波長範囲内の所定の初期波長となるよう前記波長可変光源を制御する初期波長光出射制御手段と、
出射する光の波長が前記初期波長から前記動作波長範囲内の所与の動作波長へ変化するよう前記波長可変光源を制御しつつ、当該制御が開始されてから現在までに変化した前記第１の光フィルタを透過する光の強度の周期の数を計数する周期数計数手段と、
前記周期数計数手段により計数される周期の数が、前記動作波長と前記初期波長との差に基づいて定まる周期の数に達した際に、前記第１の光フィルタを透過する光の強度に基づいて、出射する光の波長が前記動作波長となるよう前記波長可変光源を制御する動作波長光出射制御手段と、
前記波長可変光源から前記動作波長範囲内の波長の光が出射されている場合に、前記第２の光フィルタを透過する光の強度を監視して、当該監視結果に基づいて、出射する光の強度が所定の範囲に収まるよう前記波長可変光源を調整制御する調整制御手段と、
を含むことを特徴とする光送信モジュール。
【請求項２】
前記第２の光フィルタが、前記動作波長範囲にわたって透過率が所定の範囲内にあるという透過特性を有する、
ことを特徴とする請求項１に記載の光送信モジュール。
【請求項３】
前記第２の光フィルタが、前記初期波長範囲では波長の変化に応じて透過率が単調に変化する透過特性を有する、
ことを特徴とする請求項１又は２のいずれか一項に記載の光送信モジュール。
【請求項４】
波長可変光源と、波長の変化に対して透過率が周期的に変化する透過特性を有する、前記波長可変光源から出射される光が入射される第１の光フィルタと、前記波長可変光源から出射される光が入射される光フィルタであって、所定の初期波長範囲では、当該光フィルタの透過率の前記第１の光フィルタの透過率に対する比率に応じて波長が一意に定まり、所定の動作波長範囲では、波長に応じた当該光フィルタの透過率が既知である透過特性を有する第２の光フィルタと、を備える光送信モジュールの制御方法であって、
前記第１の光フィルタを透過する光の強度と、前記第２の光フィルタを透過する光の強度と、の比に基づいて、出射する光の波長が前記初期波長範囲内の所定の初期波長となるよう前記波長可変光源を制御する初期波長光出射制御ステップと、
出射する光の波長が前記初期波長から前記動作波長範囲内の所与の動作波長へ変化するよう前記波長可変光源を制御しつつ、当該制御が開始されてから現在までに変化した前記第１の光フィルタを透過する光の強度の周期の数を計数する周期数計数ステップと、
前記周期数計数ステップにより計数される周期の数が、前記動作波長と前記初期波長との差に基づいて定まる周期の数に達した際に、前記第１の光フィルタを透過する光の強度に基づいて、出射する光の波長が前記動作波長となるよう前記波長可変光源を制御する動作波長光出射制御ステップと、
前記波長可変光源から前記動作波長範囲内の波長の光が出射されている場合に、前記第２の光フィルタを透過する光の強度を監視して、当該監視結果に基づいて、出射する光の強度が所定の範囲に収まるよう前記波長可変光源を調整制御する調整制御ステップと、
を含むことを特徴とする光送信モジュールの制御方法。
【発明の詳細な説明】
【技術分野】
【０００１】
本発明は、光送信モジュール及び光送信モジュールの制御方法に関する。
【背景技術】
【０００２】
出力光の波長を制御することができる光送信モジュールが知られている。例えば、特許文献１には、出力レーザ光の波長を正確に制御できることができるレーザモジュールに関する技術について開示されている。このような光送信モジュールでは、出力光の波長が安定していることが望ましい。
【特許文献１】特開２００６−２７９０００号公報
【発明の開示】
【発明が解決しようとする課題】
【０００３】
例えば、特許文献１に記載されているような、従来の光送信モジュールでは、エタロンなどの、波長に対して透過率が周期的に変化する透過特性を有するフィルタを透過する光の強度、及び、波長に対して透過率が単調増加又は単調減少の関係にある透過特性を有するフィルタを透過する光の強度を用いて出力レーザ光の波長を制御している。そして、従来の光送信モジュールでは、フィルタを透過しない光の強度を用いて出力レーザ光の強度を制御している。そのため、従来の光送信モジュールでは、光の強度を検出する光検出器が最低３つ必要となり、部品点数が多く、低コスト化、小型化が困難であった。
【０００４】
本発明は上記課題に鑑みてなされたものであって、出力光の波長安定性及び強度安定性を保ちつつ、低コスト化、小型化を実現できる光送信モジュール及び光送信モジュールの制御方法を提供することを目的とする。
【課題を解決するための手段】
【０００５】
上記課題を解決するために、本発明に係る光送信モジュールは、波長可変光源と、前記波長可変光源により出射される光の波長の範囲では少なくとも、波長の変化に対して透過率が周期的に変化する透過特性を有する、前記波長可変光源から出射される光が入射される第１の光フィルタと、前記波長可変光源から出射される光が入射される光フィルタであって、所定の初期波長範囲では、当該光フィルタの透過率の前記第１の光フィルタの透過率に対する比率に応じて波長が一意に定まり、所定の動作波長範囲では、波長に応じた当該光フィルタの透過率が既知である透過特性を有する第２の光フィルタと、前記第１の光フィルタを透過する光の強度と、前記第２の光フィルタを透過する光の強度と、の比に基づいて、出射する光の波長が前記初期波長範囲内の所定の初期波長となるよう前記波長可変光源を制御する初期波長光出射制御手段と、出射する光の波長が前記初期波長から前記動作波長範囲内の所与の動作波長へ変化するよう前記波長可変光源を制御しつつ、当該制御が開始されてから現在までに変化した前記第１の光フィルタを透過する光の強度の周期の数を計数する周期数計数手段と、前記周期数計数手段により計数される周期の数が、前記動作波長と前記初期波長との差に基づいて定まる周期の数に達した際に、前記第１の光フィルタを透過する光の強度に基づいて、出射する光の波長が前記動作波長となるよう前記波長可変光源を制御する動作波長光出射制御手段と、前記波長可変光源から前記動作波長範囲内の波長の光が出射されている場合に、前記第２の光フィルタを透過する光の強度を監視して、当該監視結果に基づいて、出射する光の強度が所定の範囲に収まるよう前記波長可変光源を調整制御する調整制御手段と、を含むことを特徴とする。
【０００６】
また、本発明に係る光送信モジュールの制御方法は、波長可変光源と、波長の変化に対して透過率が周期的に変化する透過特性を有する、前記波長可変光源から出射される光が入射される第１の光フィルタと、前記波長可変光源から出射される光が入射される光フィルタであって、所定の初期波長範囲では、当該光フィルタの透過率の前記第１の光フィルタの透過率に対する比率に応じて波長が一意に定まり、所定の動作波長範囲では、波長に応じた当該光フィルタの透過率が既知である透過特性を有する第２の光フィルタと、を備える光送信モジュールの制御方法であって、前記第１の光フィルタを透過する光の強度と、前記第２の光フィルタを透過する光の強度と、の比に基づいて、出射する光の波長が前記初期波長範囲内の所定の初期波長となるよう前記波長可変光源を制御する初期波長光出射制御ステップと、出射する光の波長が前記初期波長から前記動作波長範囲内の所与の動作波長へ変化するよう前記波長可変光源を制御しつつ、当該制御が開始されてから現在までに変化した前記第１の光フィルタを透過する光の強度の周期の数を計数する周期数計数ステップと、前記周期数計数ステップにより計数される周期の数が、前記動作波長と前記初期波長との差に基づいて定まる周期の数に達した際に、前記第１の光フィルタを透過する光の強度に基づいて、出射する光の波長が前記動作波長となるよう前記波長可変光源を制御する動作波長光出射制御ステップと、前記波長可変光源から前記動作波長範囲内の波長の光が出射されている場合に、前記第２の光フィルタを透過する光の強度を監視して、当該監視結果に基づいて、出射する光の強度が所定の範囲に収まるよう前記波長可変光源を調整制御する調整制御ステップと、を含むことを特徴とする。
【０００７】
本発明によれば、第１の光フィルタを透過する光の強度の周期の数に基づいて、波長可変光源から出射される光の波長を精度よく制御することができる。また、第２の光フィルタを透過する光の強度を監視することで安定した強度の光を出射するよう波長可変光源を制御することができる。また、本発明によれば、第１の光フィルタを透過する光の強度と第２の光フィルタを透過する光の強度とに基づいて、波長可変光源から出射される光の波長及び強度を制御することができるので、光送信モジュールの低コスト化、小型化を実現できる。このように、本発明によれば、光送信のモジュールから出力される光の波長安定性及び強度安定性を保ちつつ、光送信モジュールの低コスト化、小型化を実現できる。
【０００８】
また、本発明の一態様では、前記第２の光フィルタが、前記動作波長範囲にわたって透過率が所定の範囲内にあるという透過特性を有することを特徴とする。この態様によれば、動作波長範囲において、波長可変光源から出射される光の波長の変化が、第２の光フィルタを透過する光の強度の変化に与える影響を小さくすることができる。
【０００９】
また、本発明の一態様では、前記第２の光フィルタが、前記初期波長範囲では波長の変化に応じて透過率が単調に変化する透過特性を有することを特徴とする。
【発明を実施するための最良の形態】
【００１０】
以下、本発明の実施形態について図面に基づき詳細に説明する。
【００１１】
図１は、本発明の一実施形態に係る光送信モジュール１０の構成の一例を示す図である。図１に示すように、光送信モジュール１０は、波長可変光源１２と、２つのレンズ１４（第１レンズ１４−１及び第２レンズ１４−２）と、２つのビームスプリッタ１６（第１ビームスプリッタ１６−１及び第２ビームスプリッタ１６−２）と、２つの光検出器１８（第１光検出器１８−１及び第２光検出器１８−２）と、制御部２０と、を含んで構成される。
【００１２】
波長可変光源１２は、例えば、レーザなどであり、所定の波長範囲の光を出射（発振）する。ビームスプリッタ１６は、例えば、ハーフミラーなどであり、入射される光を２つに分岐する。光検出器１８は、光フィルタ１８ａと受光素子１８ｂを備えている。すなわち、第１光検出器１８−１は、第１光フィルタ１８ａ−１と第１受光素子１８ｂ−１とを備えており、第２光検出器１８−２は、第２光フィルタ１８ａ−２と第２受光素子１８ｂ−２とを備えている。
【００１３】
図２は、本実施形態に係る第１光フィルタ１８ａ−１の、波長に対する透過率の一例を示す図である。図３は、本実施形態に係る第２光フィルタ１８ａ−２の、波長に対する透過率の一例を示す図である。そして、図４は、波長に対する、本実施形態に係る第１光フィルタ１８ａ−１の波長に対する透過率と、本実施形態に係る第２光フィルタ１８ａ−２の波長に対する透過率との比の一例を示す図である。
【００１４】
本実施形態では、第１光フィルタ１８ａ−１は、例えば、エタロンフィルタなどであり、図２に示すように、少なくとも波長可変光源１２が出射する光の波長の範囲（出力波長範囲２２）では波長の変化に対して透過率が周期的に変化する透過特性を有する。
【００１５】
そして、本実施形態では、第２光フィルタ１８ａ−２は、図３に示すように、出力波長範囲２２のうち、比較的短波長の範囲では、透過率が波長に対して正の傾きをもち、波長に対する透過率の傾きが一定である。すなわち、第２光フィルタ１８ａ−２は、この波長の範囲では、波長の変化に応じて透過率が単調に変化する透過特性を有する。そして、この波長の範囲では、図４に示すように、第２光フィルタ１８ａ−２の透過率の、第１光フィルタ１８ａ−１の透過率に対する比率に応じて波長が一意に定まる。以下、第２光フィルタ１８ａ−２の透過率の、第１光フィルタ１８ａ−１の透過率に対する比率に応じて波長が一意に定まる波長の範囲を初期波長範囲２４と呼ぶ。
【００１６】
なお、第２光フィルタ１８ａ−２の、波長に対する透過率の傾きは大きいことが望ましい。具体的には、例えば、第１光フィルタ１８ａ−１が、４００ｐｍだけ波長が変化すると透過率が１周期変化し、最大透過率が８０％であり、最小透過率が４０％である場合において、第２光フィルタ１８ａ−２の波長に対する透過率が、４００ｐｍだけ波長が変化する際に２倍（８０％／４０％＝２）より大きく変化するのが望ましい。
【００１７】
そして、本実施形態では、第２光フィルタ１８ａ−２は、図３に示すように、出力波長範囲２２のうち、比較的長波長の範囲では、波長が変化しても透過率が一定であるという透過特性を有する。以下、第２光フィルタ１８ａ−２が、波長が変化しても透過率が一定であるという透過特性を有する波長の範囲を動作波長範囲２６と呼ぶ。なお、第２光フィルタ１８ａ−２が、動作波長範囲２６にわたって透過率が所定の範囲にあるという透過特性を有してもよい。
【００１８】
受光素子１８ｂは、例えば、フォトダイオードなどであり、入射される光の強度に応じた電気信号を出力する。
【００１９】
制御部２０は、例えば、マイクロコンピュータによって構成され、実行モジュールと記憶素子とを含む。この制御部２０の記憶素子には、実行するべきプログラムや各種パラメータが格納され、実行モジュールは、当該記憶素子に格納されたプログラムに従って処理を行う。なお、制御部２０は、アナログ回路や、デジタル回路などによって構成されていてももちろん構わない。
【００２０】
なお、本実施形態では、第１光フィルタ１８ａ−１の波長と透過率との対応関係を示すテーブル、及び、第２光フィルタ１８ａ−２の波長と透過率との対応関係を示すテーブルが、制御部２０に含まれる記憶素子に記憶されている。また、波長、及び、その波長に対する、第１光フィルタ１８ａ−１の透過率と第２光フィルタ１８ａ−２の透過率との比の対応関係を示すテーブルも、制御部２０に含まれる記憶素子に記憶されている。
【００２１】
本実施形態では、波長可変光源１２から出射される光は第１レンズ１４−１を経由して、平行光となる。そして、この光は第１ビームスプリッタ１６−１に入射される。
【００２２】
そして、第１ビームスプリッタ１６−１に入射される光は２つに分岐される。そして、一方の光は、第２ビームスプリッタ１６−２に入射され、他方の光は第１光フィルタ１８ａ−１を透過して第１受光素子１８ｂ−１に入射される。第２ビームスプリッタ１６−２に入射される光はさらに２つに分岐される。そして、一方の光は、第２レンズ１４−２に入射され、他方の光は第２光フィルタ１８ａ−２を透過して第２受光素子１８ｂ−２に入射される。そして、受光素子１８ｂ（第１受光素子１８ｂ−１及び第２受光素子１８ｂ−２）は、入射される光の強度に応じた電気信号を制御部２０に出力する。すなわち、これらの電気信号の値は、それぞれの受光素子１８ｂに入射されている光の強度を示している。
【００２３】
そして、制御部２０は、それぞれの受光素子１８ｂに入射されている光の強度に基づいて、波長可変光源１２から出力される光の波長及び強度を制御する。
【００２４】
第２レンズ１４−２に入射される光は、光ファイバ（図示せず）などを経由して、光送信モジュール１０の外部に出射される。
【００２５】
このようにして、本実施形態では、波長可変光源１２から出射される光が第１光フィルタ１８ａ−１や第２光フィルタ１８ａ−２に入射される。
【００２６】
次に、本実施形態に係る制御部２０により実現される機能を説明する。図１に示すように、本実施形態に係る制御部２０は、機能的には、初期波長光出射制御部２０ａと、周期数計数部２０ｂと、動作波長光出射制御部２０ｃと、調整制御部２０ｄと、を含んでいる。
【００２７】
初期波長光出射制御部２０ａは、第１光フィルタ１８ａ−１を透過する光の強度と、第２光フィルタ１８ａ−２を透過する光の強度と、の比に基づいて、出射する光の波長が初期波長範囲２４内の所定の初期波長となるよう波長可変光源１２を制御する。
【００２８】
周期数計数部２０ｂは、出射する光の波長が初期波長から動作波長範囲２６内の所与の動作波長へ変化するよう波長可変光源１２を制御しつつ、その制御が開始されてから現在までに変化した第１光フィルタ１８ａ−１を透過する光の強度の周期の数を計数する。
【００２９】
動作波長光出射制御部２０ｃは、周期数計数部２０ｂにより計数される周期の数が、動作波長と初期波長との差に基づいて定まる周期の数に達した際に、第１光フィルタ１８ａ−１を透過する光の強度に基づいて、出射する光の波長が動作波長となるよう波長可変光源１２を制御する。
【００３０】
調整制御部２０ｄは、波長可変光源１２から動作波長範囲２６内の波長の光が出射されている場合に、第２光フィルタ１８ａ−２を透過する光の強度を監視する。そして、その監視結果に基づいて、出射する光の強度が所定の範囲に収まるよう波長可変光源１２を調整制御する。なお、調整制御部２０ｄは、動作波長光出射制御部２０ｃにより波長可変光源１２が制御された後に、出射する光の強度が所定の範囲に収まるよう波長可変光源１２を調整制御するようにしてもよい。
【００３１】
次に、波長可変光源１２から出力させる目標となる動作波長の光が所与の強度で出力されるよう、波長可変光源１２を調整制御する処理の流れの一例を図５に示すフロー図を参照しながら説明する。
【００３２】
まず、初期波長光出射制御部２０ａが、波長可変光源１２の電源を投入し、初期波長範囲２４内の初期波長付近の波長の光を出力するよう波長可変光源１２を制御する（Ｓ１０１）。なお、初期波長は、予め定められている。具体的には、例えば、初期波長範囲２４内で、第１光フィルタ１８ａ−１の最大透過率と最小透過率との平均である透過率に対応する波長が初期波長として予め定められていてもよい。なお、制御部２０に含まれる記憶素子に初期波長を示す初期波長データを予め記憶しておき、制御部２０がこの初期波長データを取得して、この初期波長データが示す初期波長の光を出力するよう波長可変光源１２を制御するようにしてもよい。
【００３３】
そして、初期波長光出射制御部２０ａが、出射される光の波長が変化するよう波長可変光源１２を制御する（Ｓ１０２）。そして、第１受光素子１８ｂ−１からの電気信号の値（以下、第１信号値と呼ぶ。）と第２受光素子１８ｂ−２からの電気信号の値（以下、第２信号値と呼ぶ。）との比が、初期波長における第１光フィルタ１８ａ−１の波長に対する透過率（以下、第１光フィルタ１８ａ−１の波長に対する透過率を第１透過率と呼ぶ。）と、第２光フィルタ１８ａ−２の波長に対する透過率（以下、第２光フィルタ１８ａ−２の波長に対する透過率を第２透過率と呼ぶ。）との比に対応するか否かを確認する（Ｓ１０３）。このとき、Ｓ１０３に示す条件を満たさない場合は（Ｓ１０３：Ｎ）、再度Ｓ１０２に示す処理を実行する。Ｓ１０３に示す条件を満たす場合は（Ｓ１０３：Ｙ）、周期数計数手段が、動作波長と初期波長との差に対応する、第１光フィルタ１８ａ−１を透過する光の強度の周期の数（すなわち、図２に示す透過率の周期の数）を算出する（Ｓ１０４）。このようにして、本実施形態では、波長可変光源１２から初期波長の光が出射される。また、本実施形態では、第１信号値と第２信号値との比に基づいて波長可変光源１２から出射される波長を制御している。このとき、波長可変光源１２から出射される光の強度が変化しても、第１信号値と第２信号値との比は影響を受けないので、波長可変光源１２から出射される光の波長を安定的に制御することができる。
【００３４】
このようにして、初期波長光出射制御部２０ａが、波長可変光源１２から出力される光の波長を掃引して、第１信号値と第２信号値との比が、初期波長における第１透過率と、初期波長における第２透過率との比に対応するよう、波長可変光源１２から出射される光の波長を制御する。
【００３５】
そして、周期数計数部２０ｂが、出射する光の波長が初期波長から動作波長へ変化するよう波長可変光源１２を制御する（Ｓ１０５）。なお、本実施形態では、このとき、周期数計数部２０ｂは、第１光フィルタ１８ａ−１を透過する光の強度の１周期に対応する波長よりも充分短い波長だけ波長が変化するよう、波長可変光源１２を制御する。
【００３６】
そして、周期数計数部２０ｂは、Ｓ１０５に示す処理が開始されてから現在までに変化した、第１光フィルタ１８ａ−１を透過する光の強度の周期の数（すなわち、第１信号値の周期の数）を計数して、この周期の数が、Ｓ１０４に示す処理で算出された周期の数に達したか否かを確認する（Ｓ１０６）。
【００３７】
そして、Ｓ１０６に示す条件を満たさない場合は（Ｓ１０６：Ｎ）、再度Ｓ１０５に示す処理を実行する。Ｓ１０６に示す条件を満たす場合は（Ｓ１０６：Ｙ）、動作波長光出射制御部２０ｃが、出射される光の波長が変化するよう波長可変光源１２を制御する（Ｓ１０７）。
【００３８】
なお、波長可変光源１２から動作波長付近の波長の光が出射されているか否かを、第１信号値の変化の傾向（増加傾向か減少傾向か）などの、他の条件を併せて利用して判断するようにしてもよい。また、Ｓ１０６に示す処理において、第１信号値と第２信号値との比の周期の数を計数しても構わない。
【００３９】
そして、動作波長光出射制御部２０ｃが、第１信号値と第２信号値との比の、動作波長における第１透過率と第２透過率との比に対応するか否かを確認する。（Ｓ１０８）。ここで、Ｓ１０８に示す条件を満たさない場合は（Ｓ１０８：Ｎ）、再度Ｓ１０７に示す処理を実行する。なお、Ｓ１０８に示す処理において、第１信号値が示す光の強度の、波長可変光源１２が出射している光の強度に対する比率が、動作波長における第１透過率に対応するか否かを確認するようにしてもよい。
【００４０】
Ｓ１０８に示す条件を満たす場合は（Ｓ１０８：Ｙ）、調整制御部２０ｄが、第１受光素子１８ｂ−１及び第２受光素子１８ｂ−２から出力される電気信号を監視して（すなわち、第１光フィルタ１８ａ−１及び第２光フィルタ１８ａ−２を透過する光の強度を監視して）、この監視結果に基づいて、出射する光の波長が変化しないよう波長可変光源１２を調整制御する。また、調整制御部２０ｄは、出射する光の強度が変化しないよう波長可変光源１２を調整制御する（Ｓ１０９）。具体的には、例えば、調整制御部２０ｄは、第２信号値が示す、第２光フィルタ１８ａ−２を透過する光の強度が減少した際に、波長可変光源１２に対する駆動電流を増加させるなどの制御を実行する。また、調整制御部２０ｄは、第１信号値と第２信号値との比が、動作波長における第１透過率と、第２透過率との比に対応しなくなった際には、出射される光の波長が変化するよう波長可変光源１２を制御する。
【００４１】
なお、このとき、調整制御部２０ｄが、まず、現在の第１信号値と第２信号値との比に基づいて、波長可変光源１２から出射される波長を算出して、次に、その波長での第２透過率と、現在の第２信号値とに基づいて、波長可変光源１２から出射されている光の強度を算出することにより、波長可変光源１２から出射される光の強度を調整制御するようにしてもよい。
【００４２】
このようにして、本実施形態では、波長可変光源１２から動作波長の光が安定した強度で出射される。このとき、動作波長付近では、第１透過率が波長の変化に対して大きく変化するため、第１透過率と第２透過率との比も波長の変化に対して大きく変化する。そのため、波長可変光源１２から出射される光の波長の精密な制御が可能となる。
【００４３】
なお、上記の処理例では、電源投入時において波長可変光源１２から出射される光の波長及び強度を制御する処理の例を示したが、波長可変光源１２から出射される光を所望の波長に変更する処理も、上述の処理と同様の流れでもちろん実現できる。
【００４４】
このようにして、本実施形態では、目標となる動作波長の光が、安定した強度で出射されるよう波長可変光源１２を制御することができる。そして、本実施形態に係る光送信モジュール１０は、２つの光検出器１８を備えていれば足りるので、従来よりも小型化が容易である。また、低コストで光送信モジュール１０を製造することができる。
【００４５】
なお、本発明は上記実施形態に限定されるものではない。
【００４６】
例えば、第２光フィルタ１８ａ−２は、図６に示すような透過特性を有していてもよい。具体的には、例えば、初期波長範囲２４の波長が動作波長範囲２６の波長よりも長く、初期波長範囲２４では、透過率が波長に対して負の傾きをもち、波長に対する透過率の傾きが一定であってもよい。
【００４７】
また、第２光フィルタ１８ａ−２は、図７に示すような透過特性を有していてもよい。具体的には、例えば、第２光フィルタ１８ａ−２が、初期波長範囲２４では、透過率の変化が波長の変化に対して必ずしも一定である必要はない。また、第２光フィルタ１８ａ−２が、初期波長範囲２４で、波長の変化に応じて透過率が単調に変化する透過特性を有していなくてもよい。このように、第２光フィルタ１８ａ−２は、第２光フィルタ１８ａ−２の透過率の、第１光フィルタ１８ａ−１の透過率に対する比率に応じて波長が一意に定まっていればよい。また、第２光フィルタ１８ａ−２が、動作波長範囲２６では、動作波長範囲２６では、波長に応じた透過率が既知であるという透過特性を有していていればよく、第２光フィルタ１８ａ−２が、動作波長範囲２６で、波長が変化しても透過率が一定である必要はない。
【００４８】
また、図７に示すように、初期波長範囲２４と動作波長範囲２６とが連続している必要はない。なお、初期波長範囲２４と動作波長範囲２６とが重なっていても構わない。
【００４９】
なお、以上の説明において示した具体的な数値は例示であり、示された数値に限定されるものではない。
【図面の簡単な説明】
【００５０】
【図１】本発明の一実施形態に係る光送信モジュールの構成の一例を示す図である。
【図２】第１光フィルタの波長に対する透過率の一例を示す図である。
【図３】第２光フィルタの波長に対する透過率の一例を示す図である。
【図４】波長に対する、第１光フィルタの波長に対する透過率と、第２光フィルタの波長に対する透過率と、の比の一例を示す図である。
【図５】本発明の一実施形態に係る光送信モジュールで行われる処理の一例を示す図である。
【図６】第２光フィルタの波長に対する透過率の別の一例を示す図である。
【図７】第２光フィルタの波長に対する透過率の別の一例を示す図である。
【符号の説明】
【００５１】
１０  光送信モジュール、１２  波長可変光源、１４  レンズ、１６  ビームスプリッタ、１８  光検出器、１８ａ  光フィルタ、１８ｂ  受光素子、２０  制御部、２０ａ  初期波長光出射制御部、２０ｂ  周期数計数部、２０ｃ  動作波長光出射制御部、２０ｄ  調整制御部、２２  出力波長範囲、２４  初期波長範囲、２６  動作波長範囲。
【図１】
2010062226.tif 000003
【図２】
2010062226.tif 000004
【図３】
2010062226.tif 000005
【図４】
2010062226.tif 000006
【図５】
2010062226.tif 000007
【図６】
2010062226.tif 000008
【図７】
2010062226.tif 000009